【事件の表示】
　特願２００８−１５０９０２「投射型表示装置」拒絶査定不服審判事件〔平成２０年　９月２５日出願公開、特開２００８−２２５５０８〕について、次のとおり審決する。
【結　論】
　本件審判の請求は、成り立たない。
【理　由】
１　手続の経緯
　本願は、平成１８年法律第５５号改正附則第３条第１項によりなお従前の例によるとされる同法による改正前の特許法第４４条（以下単に「特許法第４４条」という。）第１項の規定に基づき、特願２００７−２６８０２８号（以下「親出願」という。）の一部を分割して、平成２０年６月９日に新たな特許出願として出願した特願２００８−１５０９０２号であるところ、親出願もまた、特許法第４４条第１項の規定に基づき平成１１年１月２９日に出願した特願平１１−２１６３３号の一部を分割して新たな特許出願としたものである。
　原審において、平成２０年１０月２３日付けで拒絶理由が通知され、これに対して同年１２月２６日付けで手続補正されるとともに意見書が提出されたものの、平成２１年２月１０日付けで拒絶査定がされた。
　これを不服として、同年５月１８日に本件の拒絶査定不服審判の請求がされた。
　
　
２　本願発明
　本願の請求項１ないし請求項９に係る発明は、平成２０年１２月２６日付け手続補正により補正された特許請求の範囲の請求項１ないし請求項９に記載された事項により特定されるものであるところ、その請求項１に係る発明（以下「本願発明」という。）は次のとおりである。
＜本願発明＞
「　光源と、
　光源の出射光を複数の色光に分離する色分離手段と、
　分離された色光を受けて画像光を形成するための複数のライトバルブと、
　該複数のライトバルブの出射光を１つの合成光に合成する色合成手段と、
　合成光を拡大投射する投射レンズとからなり、
　該色分離手段及び該色合成手段はダイクロイックミラー及び全反射ミラーを含み、該ダイクロイックミラー及び全反射ミラーの少なくとも１つのミラーは３つの保持部材によって固定構造に保持され、各保持部材は、ベース部と、該ベース部から二股に分かれて一対の対向するアームとでクリップ状に一体構成され、一対のアームにそれぞれ対向して設けた突起が、該ミラーの一方の面の一点及び反対側の面の対応する一点を実質的に点接触で挟み込むようにしたことを特徴とする投射型表示装置。」
　
　
３　引用例及び引用例の記載事項
　原査定の拒絶の理由に引用された、本願出願前に頒布された刊行物である、実願平３−７５８９２号（実開平５−２７７１３号）のＣＤ−ＲＯＭ（以下「引用例」という。）には、図とともに、次の事項が記載されている。
　
（１）【実用新案登録請求の範囲】の欄
「【請求項１】  弾性を有する樹脂材からなりミラーを挟持する挟持凹部を有するミラークリップと、このミラークリップに形成された通孔を通してフレームに固定され前記ミラーを前記挟持凹部に押圧固定するサラネジとを具備してなることを特徴とするミラー保持具。」
　
（２）段落【０００１】〜段落【００１９】
「【０００１】
　【産業上の利用分野】
　本考案は、例えば液晶プロジェクタ装置に使用されるダイクロイックミラーや反射ミラー等をフレームに固定保持するためのミラー保持具に関する。
【０００２】
　【従来の技術】
　液晶画像をスクリーン等に投影表示する液晶プロジェクタ装置は、例えば図８に示すように構成されており、光源１から出射した光は反射ミラー２を経てダイクロイックミラー３に照射されるようになっている。
【０００３】
　このダイクロイックミラー３は、光源１からの光（白色光）を緑色成分とその他の色成分とに分解するものであり、ダイクロイックミラー３で反射した緑色成分の光は、反射ミラー４を経て液晶表示パネル５に入射するようになっている。
【０００４】
　この液晶表示パネル５は、緑色となる部分の投影画像を液晶表示するものであり、液晶表示パネル５を透過した緑色成分の光は、集光レンズ６を透過してダイクロイックミラー１３に照射されるようになっている。
　一方、ダイクロイックミラー３を透過したその他の色成分すなわち青色成分と赤色成分の光は、ダイクロイックミラー７に照射されるようになっている。
【０００５】
　このダイクロイックミラー７は、ダイクロイックミラー３からの透過光を青色成分と赤色成分とに分解するものであり、ダイクロイックミラー７で反射した青色成分の光は液晶表示パネル８に入射するようになっている。
【０００６】
　この液晶表示パネル８は、青色となる部分の投影画像を液晶表示するものであり、液晶表示パネル８を透過した青色成分の光は、集光レンズ９を透過してダイクロイックミラー１３に照射されるようになっている。
　また、ダイクロイックミラー７を透過した赤色成分の光は、液晶表示パネル１０に入射するようになっている。
【０００７】
　この液晶表示パネル１０は、赤色となる部分の投影画像を液晶表示するものであり、液晶表示パネル１０を透過した赤色成分の光は集光レンズ１１を透過し、さらに反射ミラー１２を経てダイクロイックミラー１４に照射されるようになっている。
【０００８】
　前記ダイクロイックミラー１３は、液晶表示パネル５からの透過光（緑色光）と液晶表示パネル８からの透過光（青色光）とを色合成するものであり、ダイクロイックミラー１３を透過した緑色成分と青色成分の光は、ダイクロイックミラー１４に照射されるようになっている。
【０００９】
　このダイクロイックミラー１４は、ダイクロイックミラー１３からの透過光と液晶表示パネル１０からの透過光（赤色光）とを色合成するものであり、ダイクロイックミラー１４を透過した赤、青、緑の各成分光は投影レンズ１５に入射し、この投影レンズ１５を通して図示しないスクリーン等に投影されるようになっている。
【００１０】
　ところで、このような液晶プロジェクタ装置の反射ミラー２，４，１２やダイクロイックミラー３，７，１３，１４は、図７（ここでは反射ミラー４を示す。）に示すように樹脂材からなるミラークリップ２１をねじ２２により板金製のフレーム２３と板ばね２４との間に挟み込むことによって反射ミラー４をフレーム２３に固定保持する構造となっている。
【００１１】
　【考案が解決しようとする課題】
　しかしながら、上述した従来のミラー保持具では、反射ミラー４をフレーム２３に固定保持するために板ばね２４とねじ２２を用いていたため、部品点数が多くなり、コスト高を招くという問題があった。また、従来ではフレーム２３に板ばね２４を取り付ける必要があるため、板ばね２４の分だけミラーの保持厚さが厚くなり、スペース効率が悪いという問題があった。
【００１２】
　本考案は上述した問題点に鑑みてなされたもので、その目的は部品点数を低減できるとともに、スペース効率を向上させることのできるミラー保持具を提供することにある。
【００１３】
　【課題を解決するための手段】
　上記課題を解決するために本考案は、弾性を有する樹脂材からなりミラーを挟持する挟持凹部を有するミラークリップと、このミラークリップに形成された通孔を通してフレームに固定され前記ミラーを前記挟持凹部に押圧固定するサラネジとを具備してなるものである。
【００１４】
【作用】
　すなわち、本考案ではミラークリップに通孔を形成し、この通孔を通してサラネジをフレームにねじ込むことにより、板ばねが不要となるので、部品点数を低減できると共にスペース効率を向上させることができる。
【００１５】
　【実施例】
　以下、本考案の一実施例を図１乃至図６を参照して説明する。なお、図７に示したものと同一部分には同一符号を付し、その部分の説明は省略する。
【００１６】
　図１は本考案の一実施例に係るミラー保持具を示す図であり、図中２５はミラークリップである。このミラークリップ２５は耐熱性及び弾性を有する樹脂材（例えばポリカーボネート樹脂等）で形成されており、ミラークリップ２５の上部には、図２乃至図６に示す如く反射ミラー４を挟持する挟持凹部２６が設けられている。なお、挟持凹部２６の相対向する内側面中央には押圧部２９，３０が突出して設けられている。
【００１７】
　また、ミラークリップ２５の中心部には通孔２７が形成されている。この通孔２７にはサラネジ２８が挿通しており、このサラネジ２８をフレーム２３のねじ孔にねじ込むとミラークリップ２５が変形し、反射ミラー４が挟持凹部２６に押圧固定されるようになっている。
【００１８】
　上記のように構成される本実施例では、ミラークリップ２５に通孔２７を形成し、この通孔２７を通してサラネジ２８をフレーム２３のねじ孔にねじ込むと、挟持凹部２６の押圧部２９，３０が反射ミラー４の両面に当接し、反射ミラー４が挟持凹部２６に押圧固定されるので、板ばねが不要となる。したがって、部品点数を低減できると共にスペース効率を向上させることができる。
【００１９】
　【考案の効果】
　以上説明したように本考案は、弾性を有する樹脂材からなりミラーを挟持する挟持凹部を有するミラークリップと、このミラークリップに形成された通孔を通してフレームにねじ込まれ前記ミラーを前記挟持凹部に押圧固定するサラネジとを具備してなるものである。したがって、ミラークリップに形成された通孔を通してサラネジをフレームにねじ込むことにより、反射ミラーが挟持凹部に押圧固定されるので、部品点数を低減できるとともに、スペース効率を向上させることのできるミラー保持具を提供できる。」
　
（３）【図面の簡単な説明】の欄
「【図１】本考案の一実施例に係るミラー保持具を示す図。
【図２】本考案の一実施例に係るミラー保持具を構成するミラークリップの断面図。
【図３】同じくミラークリップの正面図。
【図４】同じくミラークリップの背面図。
【図５】同じくミラークリップの平面図。
【図６】同じくミラークリップの側面図。
【図７】従来例を示す図。
【図８】液晶プロジェクタ装置の概略構成図。」
　
（４）【図１】ないし【図６】及び【図８】
【図１】
　
　
【図２】
　
　
　
【図３】
　
　
　
【図４】
　
　
　
【図５】
　
　
　
【図６】
　
　
【図８】
　
　
　
４　引用発明の認定
（１）【図１】の記載から、ミラー４、フレーム２３、ミラークリップ２５及びサラネジ２８について、次のことが見て取れる。
　ミラー４は、３組のミラークリップ２５及びサラネジ２８を用いて、フレーム２３に固定されていること。
　
（２）【図２】ないし【図６】の記載から、ミラークリップ２５の押圧部２９、３０とミラー４について、次のことが見て取れる。
　ミラークリップ２５の押圧部２９、３０の表面は、ミラークリップ２５の凹部側から見たときに円弧状に見えるものであり、その最高点を結ぶ線はミラー４の面に対して垂直であり、押圧部２９、３０の表面は、ミラークリップ２５の側面側から見たときに直線状に見えるものであり、ミラークリップ２５の押圧部２９、３０はミラー４と実質的に線接触していること。
　
（３）上記「３　引用例及び引用例の記載事項」に摘記した引用例の記載事項並びに上記（１）及び（２）を踏まえると、引用例には次の発明（以下「引用発明」という。）が記載されていると認められる。
＜引用発明＞
「光源１から出射した光は反射ミラー２を経てダイクロイックミラー３に照射されるようになっており、
 ダイクロイックミラー３は、光源１からの光（白色光）を緑色成分とその他の色成分とに分解するものであり、ダイクロイックミラー３で反射した緑色成分の光は、反射ミラー４を経て液晶表示パネル５に入射するようになっており、液晶表示パネル５は、緑色となる部分の投影画像を液晶表示するものであり、液晶表示パネル５を透過した緑色成分の光は、集光レンズ６を透過してダイクロイックミラー１３に照射されるようになっており、
　ダイクロイックミラー３を透過したその他の色成分すなわち青色成分と赤色成分の光は、ダイクロイックミラー７に照射されるようになっており、ダイクロイックミラー７は、ダイクロイックミラー３からの透過光を青色成分と赤色成分とに分解するものであり、ダイクロイックミラー７で反射した青色成分の光は液晶表示パネル８に入射するようになっており、液晶表示パネル８は、青色となる部分の投影画像を液晶表示するものであり、液晶表示パネル８を透過した青色成分の光は、集光レンズ９を透過してダイクロイックミラー１３に照射されるようになっており、
　ダイクロイックミラー７を透過した赤色成分の光は、液晶表示パネル１０に入射するようになっており、液晶表示パネル１０は、赤色となる部分の投影画像を液晶表示するものであり、液晶表示パネル１０を透過した赤色成分の光は集光レンズ１１を透過し、さらに反射ミラー１２を経てダイクロイックミラー１４に照射されるようになっており、
  前記ダイクロイックミラー１３は、液晶表示パネル５からの透過光（緑色光）と液晶表示パネル８からの透過光（青色光）とを色合成するものであり、ダイクロイックミラー１３を透過した緑色成分と青色成分の光は、ダイクロイックミラー１４に照射されるようになっており、ダイクロイックミラー１４は、ダイクロイックミラー１３からの透過光と液晶表示パネル１０からの透過光（赤色光）とを色合成するものであり、
　ダイクロイックミラー１４を透過又はそこで反射した赤、青、緑の各成分光は投影レンズ１５に入射し、投影レンズ１５を通して図示しないスクリーン等に投影されるようになっている液晶プロジェクタ装置であって、
　ミラー４は、３組のミラークリップ２５及びサラネジ２８を用いて、フレーム２３に固定されており、
  ミラークリップ２５の上部には、反射ミラー４を挟持する挟持凹部２６が設けられており、挟持凹部２６の相対向する内側面中央には押圧部２９，３０が突出して設けられており、ミラークリップ２５の中心部には通孔２７が形成されており、この通孔２７にはサラネジ２８が挿通しており、
　ミラークリップ２５の押圧部２９、３０の表面は、ミラークリップ２５の凹部側から見たときに円弧状に見えるものであり、その最高点を結ぶ線はミラー４の面に対して垂直であり、押圧部２９、３０の表面は、ミラークリップ２５の側面側から見たときに直線状に見えるものであり、ミラークリップ２５の押圧部２９、３０はミラー４と実質的に線接触していること。
液晶プロジェクタ装置」
　
　
５　本願発明と引用発明の対比
　本願発明と引用発明を対比する。
（１）引用発明の「液晶プロジェクタ装置」が本願発明の「投射型表示装置」に相当すること、引用発明の「反射ミラー２」、「反射ミラー４」及び「反射ミラー１２」が全反射ミラーであることは明らかである。これを踏まえると、引用発明における「反射ミラー２」、「ダイクロイックミラー３」、「反射ミラー４」及び「ダイクロイックミラー７」からなる光学系が本願発明における「光源の出射光を複数の色光に分離する色分離手段」に相当し、引用発明における「液晶表示パネル５」、「液晶表示パネル８」及び「液晶表示パネル１０」が本願発明における 「分離された色光を受けて画像光を形成するための複数のライトバルブ」に相当し、引用発明における「反射ミラー１２」、「ダイクロイックミラー１３」及び「ダイクロイックミラー１４」からなる光学系が本願発明における「該複数のライトバルブの出射光を１つの合成光に合成する色合成手段」に相当し、引用発明における「投影レンズ１５」が、本願発明における「合成光を拡大投射する投射レンズ」に相当することは当業者には明らかである。そして、本願発明の「色分離手段」及び「色合成手段」に相当する引用発明の部材は、ダイクロイックミラー及び全反射ミラーを含んでいる点で一致する。
　
（２）引用発明における「フレーム２３」及び「ミラークリップ２５」は、本願発明における「固定構造」及び「保持部材」に相当する。したがって、引用発明の「ミラー４は、３組のミラークリップ２５及びサラネジ２８を用いて、フレーム２３に固定されており」は、本願発明の「ダイクロイックミラー及び全反射ミラーの少なくとも１つのミラーは３つの保持部材によって固定構造に保持され」に相当する。
　
（３）引用発明における「ミラークリップ２５」の上部に設けられた、挟持凹部２６は、反射ミラー４を挟持するものであるから、対向する２つの部分を有している。したがって、引用発明にける「ミラークリップ２５」は、挟持凹部２６以外の部分と挟持凹部２６の部分から構成されるところ、当該事項は、本願発明における「各保持部材は、ベース部と、該ベース部から二股に分かれて一対の対向するアームとでクリップ状に一体構成され」の点に相当する。この点を踏まえると、「ミラークリップ２５」の「押圧部２９、３０」は、本願発明の「一対のアームにそれぞれ対向して設けられた突起」に相当する。
　
（４）上記（３）を踏まえて、引用発明における「ミラークリップ２５の押圧部２９、３０の表面は、ミラークリップ２５の凹部側から見たときに円弧状に見えるものであり、その最高点を結ぶ線はミラー４の面に対して垂直であり、押圧部２９、３０の表面は、ミラークリップ２５の側面側から見たときに直線状に見えるものであり、ミラークリップ２５の押圧部２９、３０はミラー４と実質的に線接触していること。」を、本願発明の「一対のアームにそれぞれ対向して設けた突起が、該ミラーの一方の面の一点及び反対側の面の対応する一点を実質的に点接触で挟み込むようにした」を対比すると、両者は「一対のアームにそれぞれ対向して設けた突起が、該ミラーの一方の面及び反対側の面の対応箇所を接触して挟み込むようにした」点で一致する。
　
（５）上記（１）ないし（４）を踏まえると、本願発明と引用発明は、
「光源と、
　光源の出射光を複数の色光に分離する色分離手段と、
　分離された色光を受けて画像光を形成するための複数のライトバルブと、
　該複数のライトバルブの出射光を１つの合成光に合成する色合成手段と、
　合成光を拡大投射する投射レンズとからなり、
　該色分離手段及び該色合成手段はダイクロイックミラー及び全反射ミラーを含み、該ダイクロイックミラー及び全反射ミラーの少なくとも１つのミラーは３つの保持部材によって固定構造に保持され、各保持部材は、ベース部と、該ベース部から二股に分かれて一対の対向するアームとでクリップ状に一体構成され、一対のアームにそれぞれ対向して設けた突起が、該ミラーの一方の面及び反対側の面の対応箇所を接触して挟み込むようにした投射型表示装置。」
の点で一致し、以下の点で相違すると認められる。
　
＜相違点＞
　一対のアームにそれぞれ対向して設けた突起が、本願発明においては、ミラーの一方の面の一点及び反対側の面の対応する一点を実質的に点接触で挟み込むのに対して、引用発明はミラーの一方の面及び反対側の面の対応箇所を実質的に線接触で挟み込む点。
　
　
６　相違点の検討・判断
　上記相違点について検討する。
（１）ミラーの保持の方法として、ミラーの一方の面の一点及び反対側の面の対応する一点を実質的に点接触で挟み込むことは、本願の出願前に周知である（例えば実願昭５７−１２９６１１号（実開昭５９−３５９０５号）のマイクロフィルム、特開平１０−２６０３４４号公報及び特開平９−２８３３９８号公報（特に段落【０００２】〜【０００５】の従来の技術の部分）を参照）。したがって、引用発明において、ミラーの一方の面及び反対側の面の対応箇所を実質的に線接触で挟み込むことに代えて、上記周知技術を採用して、ミラーの一方の面の一点及び反対側の面の対応する一点を実質的に点接触で挟み込むようにすることは、当業者が適宜選択できる事項にすぎない。
　
（２）請求人は、審判請求書において次のとおり主張している。
「本願発明では、ミラーを保持部材でもって装置側に固定する際には、専らベース部を使用して装置側へ固定するので、保持部材のミラーに対する押圧力が変化せず、安定した保持力でミラーを保持固定させることができる、という作用効果を奏するものである。特に、ミラーの両面を実質的に点接触でもって保持する構成では、接触部に局部的な接触圧が作用し、この接触圧が取り付け中に大きく変化することはミラーに不当な応力を及ぼすこととなり、不都合を生ずる虞がある。このような点を考慮すると、本願発明において、保持部材でもってミラーを装置側へ固定する際に、ミラーの両面には保持部材の一対のアーム部における材料自体の弾性力で挟み込まれていてほぼ一定の力が作用しており、ミラーを装置側へ固定する過程にて変化することがない、という点は格別顕著な作用効果である。」
　上記請求人の主張について検討すると、本願発明においては、「保持部材でもってミラーを装置側へ固定する際に、ミラーの両面には保持部材の一対のアーム部における材料自体の弾性力で挟み込まれていてほぼ一定の力が作用する」という作用効果を奏するための発明特定事項が特定されていないから、上記請求人の主張する作用効果は、本願発明の作用効果とは認められない。したがって、上記請求人の主張は採用することができず、本願発明が引用発明及び周知技術から当業者が予測できる範囲を超える作用効果を奏するとは認められない。
　
（３）以上のとおりであるから、本願発明は、当業者が引用発明及び周知技術に基いて容易に発明をすることができたものである。
　
　
７　むすび
　以上検討のとおり、本願発明は、当業者が引用発明及び周知技術に基いて容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。